(57)【特許請求の範囲】
【請求項１】
シートを積載可能なシート積載トレイと、
シートの給送方向に対し前記シート積載トレイの上流側にシートの給送方向に沿って摺動可能に付設され、前記シート積載トレイに重なる収納位置と、該収納位置から引き出されてシートを支持する支持位置と、に選択配置される補助トレイと、
前記シート積載トレイに積載されたシートの幅方向の端縁に当接してシートの幅方向の位置決めを行う一対の幅合わせカーソルと、
前記各幅合わせカーソルに形成された第１ラック部と、該第１ラック部に形成された第１ラック歯が噛み合うピニオンギアと、を有し、一対の前記幅合わせカーソルをシート幅方向に沿って離間または接近する方向に往復移動させるカーソル移動機構と、
を備えた手差しシート給送装置において、
前記補助トレイには、前記ピニオンギアに噛み合う第２ラック歯が形成された第２ラック部が設けられており、
前記補助トレイをシート給送方向に沿って前記収納位置から前記支持位置に移動させることにより、一対の前記幅合わせカーソルがシート幅方向に沿って離間する方向に移動し、
前記ピニオンギアは、前記第１ラック歯が噛み合う第１ギア部と、前記第２ラック歯が噛み合う第２ギア部と、を同軸上に有する二段ギアであり、前記第１ギア部と前記第２ギア部との間に介在し、前記第１ギア部または前記第２ギア部が所定方向に回転した場合のみ前記第１ギア部と前記第２ギア部との間で駆動力を伝達可能となるワンウェイ機構を備え、
前記ワンウェイ機構は、一対の前記幅合わせカーソルが離間する方向に前記第１ギア部が回転する場合に前記第１ギア部と前記第２ギア部との間で駆動力を伝達可能とし、一対の前記幅合わせカーソルが接近する方向に前記第１ギア部が回転する場合に前記第１ギア部と前記第２ギア部との間で駆動力の伝達を遮断することを特徴とする手差しシート給送装置。
【請求項２】
前記第１ギア部と前記第２ギア部との間に介在し、前記第１ギア部と前記第２ギア部に加わる回転負荷が所定値を上回る場合のみ前記第１ギア部と前記第２ギア部とが独立して回転するトルクリミッターを備えることを特徴とする請求項１に記載の手差しシート給送装置。
【請求項３】
請求項１又は請求項２に記載の手差しシート給送装置を備えた画像形成装置。
【発明の詳細な説明】
【技術分野】
【０００１】
本発明は、複写機、プリンター、ファクシミリ等の画像形成装置に用いられ、シート状の記録媒体を給送する手差しシート給送装置に関するものである。
【背景技術】
【０００２】
一般に、複写機、プリンター及びファクシミリ等の画像形成装置においては、用紙等のシート状の記録媒体を積載した着脱可能な給紙カセットを備え、この給紙カセットから用紙を供給して画像形成が行われるように構成されている。しかし、給紙カセットに積載されている用紙と異なるサイズの用紙を用いる場合には、その都度、目的の用紙を給紙カセットに積載し直さなければならず作業が煩雑となる。そのため、画像形成装置には、給紙カセットを介さずにシート状の記録媒体を供給することのできる、手差し給紙装置（バイパスユニット）を備えたものが知られている。このような手差し給紙装置には、用紙積載トレイと、用紙積載トレイ上に積載される用紙の幅方向の位置を規制する幅合わせカーソルが設けられている。
【０００３】
また、手差し給紙装置においては、異なるサイズの用紙に対応するため、用紙積載トレイに給紙方向に沿って伸縮可能な補助トレイを付設したものが知られている。例えば特許文献１には、給紙方向上流側に拡張可能な拡張トレイを備え、拡張トレイが用紙の給紙方向後端位置を規制する用紙後端カーソルと一体として構成された手差し給紙装置が開示されている。
【先行技術文献】
【特許文献】
【０００４】
【特許文献１】特開２０１０−２１５３５７号公報
【発明の概要】
【発明が解決しようとする課題】
【０００５】
従来、手差し給紙装置を使用する際には上述した幅合わせカーソルと、伸縮可能な補助トレイとを別個に操作する必要があった。また、近年の画像形成装置の小型化や省スペース化の要望によって手差し給紙装置の開放角度も小さくなっており、幅合わせカーソルの操作スペースも小さくなっている。そのため、手の大きいユーザーにとっては幅合わせカーソルが操作し難いという問題点があった。
【０００６】
本発明は、上記問題点に鑑み、ユーザーの初期操作手順を簡素化可能であり、且つ、操作性も向上した手差しシート給送装置及びそれを備えた画像形成装置を提供することを目的とする。
【課題を解決するための手段】
【０００７】
上記目的を達成するために本発明の第１の構成は、シート積載トレイと、補助トレイと、一対の幅合わせカーソルと、カーソル移動機構と、を備えた手差しシート給送装置である。シート積載トレイは、シートを積載可能である。補助トレイは、シートの給送方向に対しシート積載トレイの上流側にシートの給送方向に沿って摺動可能に付設され、シート積載トレイに重なる収納位置と、収納位置から引き出されてシートを支持する支持位置と、に選択配置される。一対の幅合わせカーソルは、シート積載トレイに積載されたシートの幅方向の端縁に当接してシートの幅方向の位置決めを行う。カーソル移動機構は、各幅合わせカーソルに形成された第１ラック部と、第１ラック部に形成された第１ラック歯が噛み合うピニオンギアと、を有し、一対の幅合わせカーソルをシート幅方向に沿って離間または接近する方向に往復移動させる。補助トレイには、ピニオンギアに噛み合う第２ラック歯が形成された第２ラック部が設けられており、補助トレイをシート給送方向に沿って往復移動させることにより、第２ラック歯に噛み合うピニオンギアが正逆回転して一対の幅合わせカーソルがシート幅方向に沿って離間または接近する方向に往復移動する。
【発明の効果】
【０００８】
本発明の第１の構成によれば、補助トレイの引き出し又は収納操作と幅合わせカーソルの位置合わせ操作とを同時に行うことができ、ユーザーの初期操作手順を簡素化することができる。また、手差しシート給送装置の使用状態において幅合わせカーソルの操作スペースが十分に広くない場合であっても、補助トレイの操作により幅合わせカーソルを簡単に操作することができる。
【図面の簡単な説明】
【０００９】
【図１】本発明の一実施形態に係る手差し給紙装置１１を備えた画像形成装置１００の内部構造を示す側面断面図
【図２】本発明の第１実施形態の手差し給紙装置１１が開放された状態を内側から見た斜視図
【図３】第１実施形態の手差し給紙装置１１の側面断面図
【図４】第１実施形態の手差し給紙装置１１に搭載される幅合わせカーソル３５及びカーソルカバー４０を表面側から見た斜視図
【図５】第１実施形態の手差し給紙装置１１に搭載される幅合わせカーソル３５及びカーソルカバー４０を裏面側から見た斜視図
【図６】幅合わせカーソル３５の斜視図
【図７】図５における幅合わせカーソル３５の保持機構周辺の拡大図
【図８】第１実施形態の手差し給紙装置１１における補助トレイ３４と幅合わせカーソル３５との連動機構を示す斜視図
【図９】補助トレイ３４と幅合わせカーソル３５との連動機構をカーソルカバー４０の裏面側から見た平面図
【図１０】補助トレイ３４と幅合わせカーソル３５との連動機構を補助トレイ３４方向から見た側面図
【図１１】本発明の第２実施形態の手差し給紙装置１１における補助トレイ３４と幅合わせカーソル３５との連動機構をカーソルカバー４０の裏面側から見た平面図
【発明を実施するための形態】
【００１０】
以下、図面を参照しながら本発明の実施形態について説明する。図１は、本発明の一実施形態に係る手差し給紙装置１１を備えた画像形成装置１００の内部構造を示す側面断面図である。画像形成装置（例えばモノクロプリンター）１００内には、帯電、露光、現像及び転写の各工程によりモノクロ画像を形成する画像形成部Ｐが配設されている。画像形成部Ｐには、感光体ドラム５の回転方向（図１の時計回り方向）に沿って、帯電ユニット４、露光ユニット（レーザー走査ユニット等）７、現像ユニット８、転写ローラー１４、クリーニング装置１９、及び除電装置（図示せず）が配設されている。
【００１１】
画像形成動作を行う場合、帯電ユニット４により時計回り方向に回転する感光体ドラム５が一様に帯電され、原稿画像データに基づく露光ユニット７からのレーザービームにより感光体ドラム５上に静電潜像が形成され、現像ユニット８により静電潜像に現像剤（以下、トナーという）が付着されてトナー像が形成される。
【００１２】
この現像ユニット８へのトナーの供給はトナーコンテナ９から行われる。なお、画像データはパーソナルコンピューター（図示せず）等から送信される。また、感光体ドラム５の表面の残留電荷を除去する除電装置（図示せず）が、感光体ドラム５の回転方向に対しクリーニング装置１９の下流側に設けられている。
【００１３】
上記のようにトナー像が形成された感光体ドラム５に向けて、用紙が給紙カセット１０又は手差し給紙装置１１から用紙搬送路１２及びレジストローラー対１３を経由して搬送され、転写ローラー１４（画像転写部）により感光体ドラム５の表面に形成されたトナー像が用紙に転写される。トナー像が転写された用紙は感光体ドラム５から分離され、定着装置１５に搬送されてトナー像が定着される。定着装置１５を通過した用紙は、用紙搬送路１６により装置上部に搬送され、用紙の片面のみに画像を形成する場合（片面印字時）は、排出ローラー対１７により排出トレイ１８に排出される。
【００１４】
一方、用紙の両面に画像を形成する場合（両面印字時）は、用紙の後端が用紙搬送路１６の分岐部２０を通過した後に搬送方向を逆転させる。これにより、用紙は分岐部２０から分岐する反転搬送路２１に振り分けられ、画像面を反転させた状態でレジストローラー対１３に再搬送される。そして、感光体ドラム５上に形成された次のトナー像が、転写ローラー１４によって用紙の画像が形成されていない面に転写される。トナー像が転写された用紙は、定着装置１５に搬送されてトナー像が定着された後、排出ローラー対１７により排出トレイ１８に排出される。
【００１５】
図２は、本発明の第１実施形態の手差し給紙装置１１が開放された状態を内側から見た斜視図であり、図３は、本実施形態の手差し給紙装置１１の側面断面図である。手差し給紙装置１１は、側面カバー３０、用紙積載トレイ３１、幅合わせカーソル３５、補助トレイ３４等を含むペーパースタック部３９、分離搬送部３２、昇降板３３、給紙クラッチ（図示せず）等を含む給紙部、バイパスフィード基板（図示せず）等を含む用紙検出部等から構成されている。
【００１６】
側面カバー３０は、左右２箇所の支点３０ａにおいて画像形成装置１００の本体側面に回動可能に支持されており、本体側面から所定角度だけ開放した開放位置と、本体側面に形成された収納部８０（図１参照）に収納されて本体側面の一部となる閉鎖位置とに選択配置される。側面カバー３０の上面に対して、後述する用紙積載トレイ３１及び、補助トレイ３４が個別に摺動する。
【００１７】
用紙積載トレイ３１は、リンク部材（図示せず）によって画像形成装置１００本体と連結されている。具体的には、リンク部材の一端部及び他端部が、それぞれ用紙積載トレイ３１と画像形成装置１００の本体側面とに回転可能に連結され、給紙方向に対し用紙積載トレイ３１の上流側端部が側面カバー３０の幅方向両端に設けられたガイド溝に係合する。これにより、用紙積載トレイ３１は側面カバー３０に対して摺動可能となっている。用紙積載トレイ３１には用紙幅方向に移動可能な一対の幅合わせカーソル３５が付設されている。用紙積載トレイ３１にセットされた用紙束の用紙幅及び用紙の有無は、バイパスフィード基板に取り付けられている用紙検出センサー（図示せず）により検出され、用紙束の縦サイズは用紙積載トレイ３１に設けられた用紙縦サイズセンサー（図示せず）により検出される。なお、用紙幅は幅合わせカーソル３５の間隔によって検出するようにしても良い。
【００１８】
給紙方向に対し用紙積載トレイ３１の上流側端部には、補助トレイ３４が付設されている。補助トレイ３４は、用紙積載トレイ３１の側端縁内側に設けられたガイドレール（図示せず）に摺動可能に係合している。さらに、給紙方向に対しガイドレールの上流側には、補助トレイ３４に設けられたボス部（図示せず）が係合可能な係合穴（図示せず）が設けられており、ボス部と係合穴とが係合する位置まで第１補助トレイ３４を引き出すと、補助トレイ３４が用紙積載トレイ３１に固定される。このようにして、補助トレイ３４は用紙積載トレイ３１に重なる収納位置と、用紙積載トレイ３１から引き出されて用紙積載トレイ３１から給送方向上流側に突出する用紙束を支持する支持位置と、に選択配置される。なお、図２では補助トレイ３４が支持位置に配置された状態を示しており、図３では補助トレイ３４が収納位置に配置された状態を示している。
【００１９】
昇降板３３は、分離搬送部３２から離れた側（図２の左上方）の端部において用紙積載トレイ３１に軸支され、この支軸を中心とした回動で昇降可能となっている。昇降板３３は、カム及びカムアクチュエーター（図示せず）から外力が与えられない限り用紙積載トレイ３１の上面と略同一の位置まで下降した状態にある。この状態で、用紙積載トレイ３１への用紙束の補充や交換が行われる。
【００２０】
幅合わせカーソル３５は、用紙給送方向に対し用紙積載トレイ３１の下流側端部に配置されるカーソルカバー４０に支持されており、カーソルカバー４０に対して用紙幅方向（図２の左右方向）に摺動可能となっている。幅合わせカーソル３５の摺動機構については後述する。
【００２１】
次に、手差し給紙装置１１の給紙動作について説明する。ユーザーにより手差し給紙装置１１からの給紙指示が入力されると、画像形成装置１００内の制御部（図示せず）から制御信号が送信され、給紙クラッチが作動して給紙ローラー３２ａが回転を開始する。そして、所定のタイミングでカムを所定量回転させる。これに伴い、カムアクチュエーターを介して昇降板３３に作用していた押し下げ力が解除されるとともに、昇降板３３が圧縮バネの付勢力により押し上げられ、用紙束の最上部の用紙が給紙ローラー３２ａに押し付けられて給紙動作が行われる。
【００２２】
そして、給紙ローラー３２ａと分離パッド３２ｂとのニップ部において給紙ローラー３２ａに接している最上部の１枚のみが分離され、画像形成装置１００内の用紙搬送路１６（図１参照）に搬送される。
【００２３】
図４及び図５は、それぞれ本実施形態の手差し給紙装置１１に搭載される幅合わせカーソル３５及びカーソルカバー４０を表面側及び裏面側から見た斜視図であり、図６は、幅合わせカーソル３５の斜視図、図７は、図５における幅合わせカーソル３５の保持機構周辺の拡大図である。図４〜図７を用いて幅合わせカーソル３５の構成及び動作について説明する。
【００２４】
カーソルカバー４０は、下面が開口した平箱状に構成され、その内部に幅合わせカーソル３５、ピニオンギア５０等の部材を収容することができる。カーソルカバー４０の上面は用紙積載トレイ３１と共に用紙束の載置面となる。カーソルカバー４０の上面には、用紙幅方向に延在する一対の移動溝４１が形成されている。
【００２５】
幅合わせカーソル３５は、カーソルカバー４０の上面に２個（一対）装着されている。２個の幅合わせカーソル３５は、用紙給送方向と直角をなす用紙幅方向の中心線に対して左右対称をなす位置に並べて配置されており、各幅合わせカーソル３５はカーソルカバー４０の移動溝４１に沿って摺動可能である。
【００２６】
図６に示すように、幅合わせカーソル３５は、幅規制部３６と、第１ラック部３７と、幅規制部３６と第１ラック部３７とを連結する連結部３８とで構成され、用紙給送方向（図６の矢印方向）から見た形状が略Ｌ字形をなしている。幅規制部３６は、用紙積載トレイ３１に用紙束を載置したとき、用紙束の側端縁に当接する。
【００２７】
第１ラック部３７は、用紙幅方向に延びる板状の部材であって、カーソルカバー４０の背面に形成されたカーソルガイド４３内に収容される。幅規制部３６の用紙幅方向へのスライド移動とともに、第１ラック部３７も用紙幅方向に移動する。なお、２個の幅合わせカーソル３５の第１ラック部３７は、用紙給送方向に位置をずらして配置されているので、用紙幅方向に移動しても互いが衝突することはない。
【００２８】
各第１ラック部３７の用紙給送方向の対向面には、用紙幅方向に延びる第１ラック歯３７ａが形成されている。また、各第１ラック部３７の上面には、連結部３８と共に移動溝４１に摺動可能に係合する係合凸部３７ｂが形成されている。さらに、各第１ラック部３７の用紙給送方向の側端面には、第１当接部３９ａ、第２当接部３９ｂが突設されている。第１当接部３９ａは第１ラック部３７の延在方向（用紙幅方向）と直交する方向（用紙給送方向）に弾性変形可能である。
【００２９】
図７に示すように、ピニオンギア５０は、カーソルカバー４０の背面中央部に形成された軸受部４５に外挿され、カーソルカバー４０に対して回転可能に支持されている。ピニオンギア５０は軸受部４５から突出する係止爪（図示せず）によって軸受部４５から脱落しないように保持されている。
【００３０】
ピニオンギア５０は、用紙給送方向上流側及び下流側において一対の幅合わせカーソル３５の第１ラック歯３７ａが各々係合する第１ギア部５０ａと、補助トレイ３４に設けられた第２ラック部５１の第２ラック歯５１ａ（図９参照）が係合する第２ギア部５０ｂとを同軸上に有する二段ギアである。ピニオンギア５０にはトルクリミッター（図示せず）が内蔵されており、回転負荷（トルク）が所定トルクを上回る場合のみ第１ギア部５０ａと第２ギア部５０ｂとが独立して回転するようになっている。
【００３１】
第１ギア部５０ａと第１ラック歯３７ａで構成されるラック＆ピニオン機構により、一方の幅合わせカーソル３５を用紙幅方向に移動させると、これに連動して他方の幅合わせカーソル３５も反対方向に移動する。即ち、各幅合わせカーソル３５は用紙幅方向の中心線に対して左右対称に移動する。また、カーソルカバー４０の長手方向中央部（ピニオンギア５０の近傍）には、カーソルガイド４３の内側面４３ａから内側に突出するカーソル支持突起４７が形成されている。
【００３２】
幅合わせカーソル３５の組み立て手順について説明すると、先ず、カーソルカバー４０の上面側を上向きにした状態で、一対の幅合わせカーソル３５の第１ラック部３７をカーソルカバー４０の上面側からそれぞれ移動溝４１に挿入し、連結部３８及び係合凸部３７ｂを移動溝４１に係合させる。そして、カーソルカバー４０を反転させて背面側を上向きにした状態で、各幅合わせカーソル３５を各第１ラック部３７が軸受部４５を中心として対称となる位置（例えば用紙幅方向の最外側）まで移動させる。
【００３３】
次に、各第１ラック部３７に形成された第１ラック歯３７ａに噛み合うようにピニオンギア５０を軸受部４５に装着する。そして、カーソルカバー４０を再び反転させて上面側を上向きにした状態で、用紙積載トレイ３１に装着する。このとき、カーソルカバー４０の長手方向中央部に設けた２箇所のカーソル支持突起４７及びピニオンギア５０によって第１ラック部３７が挟まれるため、幅合わせカーソル３５がカーソルカバー４０の背面から落下するおそれはない。なお、幅合わせカーソル３５をカーソルカバー４０から取り外す場合は、ピニオンギア５０を軸受部４５から外すことにより第１ラック部３７の先端が水平方向に回転可能になるため、第１ラック部３７を回転させてカーソル支持突起４７との係合を解除した後、第１ラック部３７を移動溝４１から引き抜く。
【００３４】
図８は、本実施形態の手差し給紙装置１１における補助トレイ３４と幅合わせカーソル３５との連動機構を示す斜視図であり、図９は、補助トレイ３４と幅合わせカーソル３５との連動機構をカーソルカバー４０の裏面側（図８の下方向）から見た平面図、図１０は、補助トレイ３４と幅合わせカーソル３５との連動機構を補助トレイ３４方向（図９の下方向）から見た側面図である。
【００３５】
用紙給送方向に対し補助トレイ３４の下流側端部には、第２ラック歯５１ａが形成された第２ラック部５１が突設されている。第２ラック部５１は、幅合わせカーソル３５の第１ラック部３７と直交するように配置され、第２ラック歯５１ａがピニオンギア５０の第２ギア部５０ｂに噛み合っている。
【００３６】
補助トレイ３４が用紙積載トレイ３１に重なる収納位置に配置されている場合、各幅合わせカーソル３５は幅規制部３６が最も接近した状態に配置されている。補助トレイ３４を収納位置から用紙給送方向上流側に引き出すと、補助トレイ３４に設けられた第２ラック部５１も用紙給送方向上流側（図９の矢印Ａ方向）に移動する。その結果、第２ラック歯５１ａに噛み合う第２ギア部５０ｂも図９の反時計回り方向に回転する。
【００３７】
ここで、ピニオンギア５０の第１ギア部５０ａと第２ギア部５０ｂの間に介在するトルクリミッターは、幅合わせカーソル３５に負荷が加えられていない状態では第１ギア部５０ａと第２ギア部５０ｂとが連れ回りするように負荷が調整されている。そのため、補助トレイ３４の引き出しに連動して第１ギア部５０ａも第２ギア部５０ｂと共に図９の反時計回り方向に回転し、各幅合わせカーソル３５は、それぞれカーソルカバー４０の両端部方向（図９の矢印Ｂ方向）、即ち幅規制部３６が離間する方向に移動する。
【００３８】
そして、補助トレイ３４が用紙積載トレイ３１から所定量引き出されて支持位置（例えば最大引き出し位置）に配置されたとき、各幅合わせカーソル３５は幅規制部３６が所定の間隔（例えば用紙積載トレイ３１に積載可能な最大サイズの用紙幅）に広げられた状態となる。この状態で、用紙積載トレイ３１から補助トレイ３４に亘って最大サイズの用紙を積載し、印字動作を開始する。
【００３９】
用紙積載トレイ３１に最大サイズ以外の定型サイズ用紙や、葉書や封筒、送り状等の定型サイズ以外の用紙を積載する場合は、用紙サイズに合わせて幅合わせカーソル３５（幅規制部３６）の間隔を調整する必要がある。ここで、ピニオンギア５０にはトルクリミッターが内蔵されているため、補助トレイ３４の移動負荷がトルクリミッターの回転負荷に比べて十分に大きい場合はトルクリミッターの回転負荷を上回る力を加えて幅合わせカーソル３５を移動させることにより、補助トレイ３４を支持位置に配置した状態で幅合わせカーソル３５の間隔を任意に調整することができる。なお、補助トレイ３４の移動負荷によって幅合わせカーソル３５の移動が規制されているため、振動や衝撃によって幅合わせカーソル３５が容易に移動するおそれはない。
【００４０】
一方、用紙積載トレイ３１に用紙が積載されていない状態で補助トレイ３４を支持位置から用紙給送方向下流側に挿入すると、補助トレイ３４に設けられた第２ラック部５１も用紙給送方向下流側（図９の矢印Ａ′方向）に移動する。その結果、第２ラック歯５１ａに噛み合う第２ギア部５０ｂも図９の時計回り方向に回転するため、第１ギア部５０ａも第２ギア部５０ｂと共に図９の時計回り方向に回転し、各幅合わせカーソル３５は、それぞれカーソルカバー４０の中央部方向（図９の矢印Ｂ′方向）、即ち幅規制部３６が接近する方向に移動する。
【００４１】
本実施形態の構成によれば、補助トレイ３４を用紙積載トレイ３１から引き出す動作に連動して幅合わせカーソル３５が離間し、補助トレイ３４を用紙積載トレイ３１に挿入する動作に連動して幅合わせカーソル３５が接近する。従って、補助トレイ３４の引き出し操作と幅合わせカーソル３５の位置合わせ操作とを同時に行うことができ、ユーザーの初期操作を簡素化することができる。
【００４２】
また、手差し給紙装置１１を開放した状態での側面カバー３０と画像形成装置１００の本体側面との間隔が狭く、幅合わせカーソル３５の操作スペースが十分に広くない場合であっても、補助トレイ３４の操作により幅合わせカーソル３５を簡単に操作することができる。
【００４３】
図１１は、本発明の第２実施形態の手差し給紙装置１１における補助トレイ３４と幅合わせカーソル３５との連動機構をカーソルカバー４０の裏面側（図８の下方向）から見た平面図である。本実施形態では、ピニオンギア５０を構成する第１ギア部５０ａ、第２ギア部５０ｂは、一方向にのみ駆動力を伝達可能なワンウェイ機構（図示せず）を備えている。具体的には、第１ギア部５０ａ、第２ギア部５０ｂが図１１の反時計回り方向に回転するときは互いに駆動力が伝達されて連れ回りするが、図１１の時計回り方向に回転するときは駆動力が伝達されず、互いに独立して回転可能となっている。
【００４４】
例えば、第２ギア部５０ｂが反時計回り方向に回転する場合、第１ギア部５０ａに回転が伝達されて第１ギア部５０ａが反時計回り方向に回転する。一方、第２ギア部５０ｂが時計回り方向に回転する場合、第１ギア部５０ａには回転が伝達されずに、第１ギア部５０ａは回転しない。換言すると、補助トレイ３４を収納位置から支持位置に引き出す場合、第２ラック部５１の移動に連動して第２ラック歯５１ｂに噛み合う第２ギア部５０ｂが反時計回り方向に回転するため、各幅合わせカーソル３５は幅規制部３６の間隔が広がる方向に移動する。一方、補助トレイ３４を支持位置から収納位置に収納する場合、第２ラック部５１の移動に連動して第２ラック歯５１ｂに噛み合う第２ギア部５０ｂが時計回り方向に回転するため、各幅合わせカーソル３５は移動しない。
【００４５】
本実施形態の構成によれば、補助トレイ３４を収納位置から用紙給送方向上流側に引き出すと、補助トレイ３４に設けられた第２ラック部５１も用紙給送方向上流側（図１１の矢印Ａ方向）に移動する。これにより、第２ラック歯５１ａに噛み合う第２ギア部５０ｂが図１１の反時計回り方向に回転し、第１ギア部５０ａと第２ギア部５０ｂとの間に介在するワンウェイ機構によって第２ギア部５０ｂと共に図１１の反時計回り方向に回転する。その結果、各幅合わせカーソル３５は、それぞれカーソルカバー４０の両端部方向（図１１の矢印Ｂ方向）、即ち幅規制部３６が離間する方向に移動する。
【００４６】
一方、第１ギア部５０ａが時計回り方向に回転する際は、第２ギア部５０ｂに駆動力が伝達されないため、幅規制部３６が接近する方向に幅合わせカーソル３５を移動させても補助トレイ３４は収納位置方向に移動しない。これにより、補助トレイ３４を支持位置に配置した状態で、幅合わせカーソル３５の間隔を軽い力で調整することができる。
【００４７】
また、幅規制部３６が離間する方向に幅合わせカーソル３５を移動させる場合は第１ギア部５０ａから第２ギア部５０ｂに駆動力が伝達されるが、補助トレイ３４を支持位置に配置した状態では第２ギア部５０ｂは回転しないため幅規制部３６が離間する方向には幅合わせカーソル３５が移動しない。従って、一旦調整された幅合わせカーソル３５の位置が振動や衝撃によってずれてしまうおそれもなくなる。ワンウェイ機構としては、一方向にのみ駆動力を伝達可能なワンウェイクラッチや、ラチェット機構等を使用できる。
【００４８】
なお、ここではピニオンギア５０がワンウェイ機構のみを備えた構成について説明したが、ワンウェイ機構と共にトルクリミッターを備えた構成とすることもできる。この構成によれば、幅合わせカーソル３５にトルクリミッターの回転負荷を超える力を加えることで幅合わせカーソル３５を単独で移動させることができる。従って、幅合わせカーソル３５の間隔を誤って必要以上に狭くしてしまった場合に、補助トレイ３４を支持位置に配置したまま幅合わせカーソル３５の間隔を広げることができ、用紙幅の位置合わせを確実に行うことができる。
【００４９】
その他本発明は、上記各実施形態に限定されず、本発明の趣旨を逸脱しない範囲で種々の変更が可能である。例えば、上記各実施形態では、給紙ローラー３２ａと分離パッド３２ｂとで分離搬送部３２を構成しているが、例えば分離パッド３２ｂに代えてトルクリミッターを内蔵したリタードローラーを配置しても良い。
【００５０】
また、本発明は図１に示したようなモノクロプリンターに限らず、カラープリンター、モノクロ及びカラー複写機、デジタル複合機、或いはファクシミリ等、手差し給紙装置を備えた他のタイプの画像形成装置にも適用できるのはもちろんである。
【産業上の利用可能性】
【００５１】
本発明は、シート状の記録媒体を給送するシート給送装置に利用可能である。本発明の利用により、ユーザーの初期操作手順を簡素化可能であり、且つ、操作性も向上した手差しシート給送装置及びそれを備えた画像形成装置を提供することができる。
【符号の説明】
【００５２】
１１                手差し給紙装置（手差しシート給送装置）
３０                側面カバー
３０ａ              先端部
３１                用紙積載トレイ（シート積載トレイ）
３２                分離搬送部
３３                昇降板
３４                補助トレイ
３５                幅合わせカーソル
３６                幅規制部
３７                第１ラック部
３７ａ              第１ラック歯
３８                連結部
３９ａ              第１当接部
３９ｂ              第２当接部
４０                カーソルカバー
４５                軸受部
５０                ピニオンギア
５０ａ              第１ギア部
５０ｂ              第２ギア部
５１                第２ラック部
５１ａ              第２ラック歯
１００              画像形成装置
【図１】
0006394523.tif 000002
【図２】
0006394523.tif 000003
【図３】
0006394523.tif 000004
【図４】
0006394523.tif 000005
【図５】
0006394523.tif 000006
【図６】
0006394523.tif 000007
【図７】
0006394523.tif 000008
【図８】
0006394523.tif 000009
【図９】
0006394523.tif 000010
【図１０】
0006394523.tif 000011
【図１１】
0006394523.tif 000012